(57)【要約】【課題】吹き流しや鯉のぼりの内部に軽量圧縮性の立体型の形状保持体を入れることで、鯉のぼりを室内に飾る場合には鯉のぼりが潰れたり折れ曲がったりしていびつな形にならず、また立体型の形状保持体により吹き流しの姿をいつまでも自然な直線状の状態を維持でき、しかも、不使用時の収納保管時には立体状の形状保持体を平坦面状に圧縮させて収納し、収納スペースをコンパクト化でき、その収納保管が容易な室内鯉のぼりセットを提供することにある。【解決手段】室内鯉のぼりセットは、台座１、取り付け支柱２、吹き流し３、吹き流し３の内部に入れる形状保持体３１、吹き流し３の支持用の上部横棒３２、吹き流し３の下部に内装された下部横棒３３、鯉のぼり４、鯉のぼり４の内部に入れる形状保持体４１、金球５及び矢車５１、両形状保持体３１，４１を封入して圧縮する圧縮袋６からなる。【選択図】        図１
0003125145.tif 000002
【実用新案登録請求の範囲】
【請求項１】
台座と、台座に下端側が一時的に固定される取り付け支柱と、取り付け支柱の側面に取り付けられる吹き流しと、吹き流しの内部に入れられ吹き流しを立体状に保持する立体型の軽量圧縮性の形状保持体と、先端側が取り付け支柱の側面に挿入支持され吹き流しを横向きの直線状に支持する上部横棒と、吹き流しの下部に内装された下部横棒と、取り付け支柱の側面に取り付けられる複数の鯉のぼりと、各鯉のぼりの内部に入れられ鯉のぼりを立体状に保持する立体型の軽量圧縮性の形状保持体と、取り付け支柱の上端に飾りとして取り付けられる金球及びその下側に取り付けられる矢車と、立体型の上記両形状保持体を封入して平坦面状に圧縮する圧縮袋と、から構成することを特徴とする室内鯉のぼりセット。
【考案の詳細な説明】
【技術分野】
【０００１】
この考案は、吹き流しや鯉のぼりの内部に軽量圧縮性の立体状の形状保持体を入れることで、鯉のぼりを室内に飾る場合には形状保持体により鯉の姿や吹き流しを直線状に維持し、また、収納保管時には立体型の形状保持体を平坦面状に圧縮して収納し、収納スペースをコンパクト化できその収納保管が容易な室内鯉のぼりセットに関するものである。
【背景技術】
【０００２】
従来、室内で鯉のぼりを飾る場合、風が吹かないのでなびくことがなく、このため吹き流しや鯉のぼりの内部に、立体状になびくように、形状保持用空気袋を入れたものや、形状保持用の硬質フィルムを筒状に曲げて入れたものが知られている。
【特許文献１】実用新案登録第３１０１７１２号
【考案の開示】
【考案が解決しようとする課題】
【０００３】
しかしながら、吹き流しや鯉のぼりの内部に形状保持用空気袋を入れたものにあっては、形状保持用空気袋は内部に空気を入れる必要があり面倒である。また、吹き流し及び鯉のぼりを飾っている最中に空気袋の空気が漏れると吹き流しや鯉のぼりが萎んで折れ曲がり、直線的な吹き流しの形状を保つことができず、見た目が悪くなるという課題がある。
また、吹き流しや鯉のぼりの内部に形状保持用の硬質フィルムを筒状に曲げて入れたものにあっては、筒状に曲げた硬質フィルムが元の平面状に戻ろうとする力が時間がたつとなくなり、その結果、外側の吹き流しや鯉のぼりの形がいびつになり易く、見た目が悪くなるという課題がある。
【０００４】
この考案は、上記のような課題に鑑み、その課題を解決すべく創案されたものであって、その目的とするところは、吹き流しや鯉のぼりの内部に軽量圧縮性の立体型の形状保持体を入れることで、鯉のぼりを室内に飾る場合には鯉のぼりが潰れたり折れ曲がったりしていびつな形にならず、また立体型の形状保持体により吹き流しの姿をいつまでも自然な直線状の状態を維持でき、しかも、不使用時の収納保管時には立体状の形状保持体を平坦面状に圧縮させて収納し、収納スペースをコンパクト化でき、その収納保管が容易な室内鯉のぼりセットを提供することにある。
【課題を解決するための手段】
【０００５】
以上の目的を達成するために、この考案は、台座と、台座に下端側が一時的に固定される取り付け支柱と、取り付け支柱の側面に取り付けられる吹き流しと、吹き流しの内部に入れられ吹き流しを立体状に保持する立体型の軽量圧縮性の形状保持体と、先端側が取り付け支柱の側面に挿入支持され吹き流しを横向きの直線状に支持する上部横棒と、吹き流しの下部に内装された下部横棒と、取り付け支柱の側面に取り付けられる複数の鯉のぼりと、各鯉のぼりの内部に入れられ鯉のぼりを立体状に保持する立体型の軽量圧縮性の形状保持体と、取り付け支柱の上端に飾りとして取り付けられる金球及びその下側に取り付けられる矢車と、立体型の上記両形状保持体を封入して平坦面状に圧縮する圧縮袋と、から構成する手段よりなるものである。
【考案の効果】
【０００６】
以上の記載より明らかなように、この考案に係る室内鯉のぼりセットによれば、吹き流しや鯉のぼりの内部に軽量圧縮性の立体型の形状保持体を入れることで、鯉のぼりを室内に飾る場合には鯉のぼりが潰れたり折れ曲がったりしていびつな形にならず、形状保持体により吹き流しの姿をいつまでも自然な直線状の吹き流しの状態を維持することができる。
しかも、鯉のぼりを室内に飾る場合に、その形状を維持するために吹き流しや鯉のぼりの内部に入れる立体型の形状保持体は軽量圧縮性であるため、立体型の形状保持体を密封圧縮袋に入れて該袋を密封し空気を抜くことで、嵩張る立体型の形状保持体を平坦面状に圧縮させて収納することができ、これにより、室内鯉のぼりセットの収納スペースをコンパクト化でき、その収納保管を容易にすることができる等、極めて実用的有益なる効果を奏するものである。
【考案を実施するための最良の形態】
【０００７】
以下、図面に記載の考案を実施するための最良の形態に基づいて、この考案をより具体的に説明する。
ここで、図１は室内鯉のぼりを飾った側面図、図２は台座及び取り付け支柱の組み立て用の部分拡大図付きの側面図、図３は吹き流し及び鯉のぼりの組み立て用の部分拡大図付きの側面図、図４は形状保持体の圧縮密封前の圧縮袋の平面図、図５は形状保持体の圧縮密封時の圧縮袋の平面図、図６は圧縮袋の圧縮密封時の部分拡大使用説明図である。
【０００８】
図において、室内鯉のぼりセットは、台座１、取り付け支柱２、吹き流し３、吹き流し３の内部に入れる形状保持体３１、吹き流し３の支持用の上部横棒３２、吹き流し３の下部に内装された下部横棒３３、鯉のぼり４、鯉のぼり４の内部に入れる形状保持体４１、金球５及び矢車５１、両形状保持体３１，４１を封入して圧縮する圧縮袋６、などから主に構成される。
【０００９】
台座１は、鯉のぼり全体を取り付けときに倒れないように全体を支持する台で、例えば厚みのある正方形或いは長方形の箱形形状からなり、その一辺側の端部に取り付け支柱２の下端側がボルトとナットにより一時的に固定されて取り付けられる。なお台座１の形状は正方形或いは長方形の形状に限定されず、例えば円形や楕円形などでもよく、要は全体が倒れないように支持できる構造であればどのような形状でもよい。
【００１０】
取り付け支柱２は、吹き流し３及び鯉のぼり４を水平状態のあたかも風でなびいているように取り付ける柱であり、台座１の端部から上方に向けて垂直に取り付けられている。上下方向に垂直に取り付けられた取り付け支柱２の側面には、最上段に吹き流し３がその先端の吊りヒモ３ａを通じて取り付けられ、その下側には下向けて順次大小の複数の鯉のぼり４がその先端の吊りヒモ４ａを通じてそれぞれ取り付けられている。
【００１１】
取り付け支柱２は、その断面が例えば四角形をしており、取り付け支柱２の上下方向の台座１側に面する一側面には、吹き流し３の先端の吊りヒモ３ａ及び鯉のぼり４の先端の吊りヒモ４ａを引っ掛けるためのフック２ａが上下方向に適宜間隔をあけて取り付けられている。
【００１２】
取り付け支柱２は、高さ方向に例えば２分割される上部支柱２１と下部支柱２２から構成され、ほぼ半分の長さに分割して収納できるように配慮されている。上部支柱２１の下端側は側面の厚みの半分の片方が一部下方に段差状に突出しており、またこれと上下で係合する下部支柱２２の上端側は側面の厚みの半分の上部支柱２１と反対側の片方が一部上方に段差状に突出している。そして、下方に突出する側面と上方に突出する側面とが横方向に接合して重なり合う構造になっており、この横方向に接合して重なり合う部分にはそれぞれボルト貫通孔が形成され、貫通するボルトとナットにより一時的に固定されて連結される構造になっている。
【００１３】
また、取り付け支柱２の下部が台座１に取り付けられる部分には、取り付け支柱２が傾かないように直角に保持するための直角三角形状の隅角部補強板２３が取り付けられている。隅角部補強板２３は下部支柱２２の台座１側に面する側の下部側面に取り付けられている。隅角部補強板２３の台座１の表面と接する部分には下向きにボルトが突出して取り付けられており、台座１の表面に形成されたボルト孔を貫通してその下側からナットが螺合される構造になっている。
【００１４】
取り付け支柱２の上端には飾りとしての金球５及びその下側には矢車５１が取り付けられている。金球５には下方に突出する取付棒５２が取り付けられている。矢車５１は取付棒５２の両側面から両側に水平に張り出す軸の先端側に回転自在に取り付けられている。金球５及び矢車５１が取り付けられる上部支柱２１の上端にはこの取付棒５２の下部側を螺入するための螺子穴２１ａが形成されている。
【００１５】
吹き流し３は両端が開放された筒状の布状のものからなり、その表面には模様色彩が施されている。吹き流し３は前記したように先端の吊りヒモ３ａを通じて取り付け支柱２の最上段に取り付けられる。吹き流し３は風により立体型の筒状に膨らんだ状態で真横になびいている姿が美しいが、室内では風が無く立体型の筒状に膨らんだり真横になびかない。
【００１６】
このため、吹き流し３を立体型の筒状に膨らんだ状態に見せるために、吹き流し３の内部には立体型で軽量圧縮性の形状保持体３１が入れられている。形状保持体３１は例えば円筒形を少し潰し扁平円筒形に似たような形状を有している。形状保持体３１は表面が薄い布状で形成され、その内部に軽量圧縮性の例えば化学繊維が立体型の筒状に膨らむ程度の量だけ封入されている。立体型の形状保持体３１は収納時には略平坦面状に圧縮される。
【００１７】
また、立体状に膨らむように内部に形状保持体３１を入れた吹き流し３を、風によりあたかも真横に直線状になびいているかのように見せるために、吹き流し３を支持する直線状の上部横棒３２が取り付け支柱２の上部側面に側方に向けて取り付けられている。上部横棒３２はその先端側が取り付け支柱２の上部側面に形成された装着穴に真横向きに挿入されることで、垂直な取り付け支柱２に対して略直角な水平向きに取り付けられる。
【００１８】
吹き流し３は、立体状に膨らむように内部に入れた形状保持体３１と、内部上端側を支持する上部横棒３２により、風によりあたかも真横に直線状になびいているかのように真横向きに支持されているが、さらにこの直線状の姿を維持するために、筒状の横向きとなる吹き流し３の取り付け時には下端側となる内部には直線状の下部横棒３３が筒方向に向けて直線状に内装されている。吹き流し３は上下の直線状の上部横棒３２と下部横棒３３により真横向きの直線状にあたかもなびいているかのように取り付けられる。
【００１９】
また、下部横棒３３が内装された吹き流し３の下端の一部には、その下側に取り付けられる鯉のぼり４を吊持するためのフック３ｂが下向きに取り付けられている。このフック３ｂには鯉のぼり４の上端側に形成された後記の上部フック孔４ｂにその下部側が貫通係止されるＳ字フック４ｄの上部側が引っ掛けられる。
【００２０】
鯉のぼり４は立体型に膨らむように袋状の布状のものからなり、その表面には鯉の模様色彩が施されている。鯉のぼり４は前記したように先端の吊りヒモ４ａを通じて取り付け支柱２の吹き流し３の下側に複数取り付けられる。鯉のぼり４は吹き流し３と同様に風により立体型に膨らんだ状態で真横になびいている姿が美しいが、室内では風が無く立体型に膨らんだり真横になびかない。
【００２１】
このため、鯉のぼり４を立体型に膨らんだ状態に見せるために、鯉のぼり４の内部には立体型で軽量圧縮性の形状保持体４１が入れられている。形状保持体４１は背びれを省略した立体型の鯉の形に似せたような形状を有している。形状保持体４１は表面が薄い布状で形成され、その内部に軽量圧縮性の例えば化学繊維が立体型に膨らむ程度の量だけ封入されている。立体型の形状保持体４１は収納時には略平坦面状に圧縮される。
【００２２】
内部に形状保持体４１が入れられる鯉のぼり４は、その腹部が開くように切り開かれていて、この切り開かれた箇所からその内部に形状保持体４１を入れたり取り出したりできるようになっている。この切り開かれた箇所はチャック式になっていて、チャックを閉じることで塞ぐことができる構造になっている。
【００２３】
また、上下に並設して取り付け支柱２に取り付けられる各鯉のぼり４の上端側となる例えば背びれ部分の一部には、上側の吹き流し３又は別の鯉のぼり４に吊持されるように上部フック孔４ｂがそれぞれ形成されている。この上部フック孔４ｂにはその下部側が貫通係止されるＳ字フック４ｄの下部側が引っ掛けられる。
【００２４】
同様に各鯉のぼり４の下端側となる例えば腹部の一部には、その下側に取り付けられる鯉のぼり４を吊持するための下部フック孔４ｃがそれぞれ形成されている。この下部フック孔４ｃにはその上部側が貫通係止されるＳ字フック４ｄの上部側が引っ掛けられる。
【００２５】
圧縮袋６は、吹き流し３の内部に入れられて吹き流し３を立体状に膨らませる立体型の形状保持体３１と、鯉のぼり４の内部に入れられて鯉のぼり４を立体状に膨らませる立体型の形状保持体４１とを、封入してこれらを平坦面状に圧縮する袋である。圧縮袋６は例えば透明なビニール製の密封袋が使用されている。
【００２６】
圧縮袋６は例えば方形状の形状をしていて、その一辺側に開口部６１が設けられ、この開口部６１からその内部に形状保持体３１、４１を入れたり取り出したりする。この開口部６１の両側は一辺方向に沿って凹凸係合されて密着する構造になっていて、内部に空気が流入しないになっている。開口部６１にはこの開口部６１を一辺方向に沿って凹凸係合させて密着するスライダー６２が取り付けられる。
【００２７】
また、圧縮袋６の表面の一部には、形状保持体３１、４１を内部に封入して開口部６１を密閉した後に電気掃除機を利用して内部の空気を吸い出すための、空気吸引口６３が設けられている。空気吸引口６３にはキャップ６４が装着されて、このキャップ６４により空気吸引口６３を密封して塞いで内部に空気が流入しない構造になっている。
【００２８】
次に、上記考案を実施するための最良の形態の構成に基づく使用方法について以下説明する。
【００２９】
室内鯉のぼりセットを飾る場合には、図示しない収納箱を開いて、台座１、取り付け支柱２、吹き流し３、鯉のぼり４、金球５及び矢車５１、及び圧縮袋６内に封入されて平坦面状に圧縮されていた形状保持体３１、４１をそれぞれ取り出して、組み立てる。圧縮袋６から平坦面状に圧縮されていた形状保持体３１、４１を取り出すと、形状保持体３１、４１は空気がその内部に流入することで、立体型に膨らむ。
【００３０】
取り付け支柱２の下部支柱２２の下端側面をボルトとナットを利用して台座１に取り付けて固定する。台座１に固定された下部支柱２２の上端側面に上部支柱２１の下端側面を合わせボルトとナットを利用して固定して接合する。上部支柱２１の先端の螺子孔２１ａに金球５の下方に突出する取付棒５２を螺入して、取り付け支柱２の上端に金球５及び矢車５１を取り付ける。
【００３１】
立体型に膨らんだ形状保持体３１を吹き流し３の内部に入れて立体型の筒状に膨らませ、また、吹き流し３の筒状の内部の上端側に筒方向に沿って上部横棒３２を挿入する。吹き流し３が装着された上部横棒３２の先端側を取り付け支柱２の上部側面に形成された装着穴に差し込んで取り付ける。また吹き流し３の先端の吊りヒモ３ａを取り付け支柱２の側面上部のフック２ａに引っ掛ける。吹き流し３は取り付け支柱２に真横向きの直線状の状態で取り付けられる。
【００３２】
立体型に膨らんだ形状保持体４１を各鯉のぼり４の腹部のチャックを開いてその内部に入れ、鯉のぼり４の腹部のチャックを閉める。各鯉のぼり４は内部に入れた立体型の形状保持体４１によって立体型に膨らんだ状態になる。そして、一番上側の鯉のぼり４の背びれ側に形成された上部フック孔４ｂに吹き流し３の下部横棒３３に取り付けられたフック３ｂの先端側を挿入して、一番上側の鯉のぼり４を吹き流し３に吊り下げる。
【００３３】
また、上側の鯉のぼり４の腹部の一部に形成された下部フック孔４ｃと、その下側の鯉のぼり４の背びれ側の一部に形成された上部フック孔４ｂとを、Ｓ字フック４ｃを利用して引っ掛けて、複数の鯉のぼり４を順次吊り下げる。また、各鯉のぼり４の先端の吊りヒモ４ａを取り付け支柱２の側面の各フック２ａに引っ掛ける。各鯉のぼり４は取り付け支柱２に真横向きの直線状の状態で上下に並設状態で取り付けられる。
【００３４】
以上のような方法により、室内鯉のぼりセットを簡単に組み立てて、室内に飾ることができる。
【００３５】
室内鯉のぼりセットを片付ける場合は、上記の組み立てと逆の順序で行われる。各部品を分解した後、立体型の形状保持体３１及び形状保持体４１を圧縮袋６に入れた後、スライダー６２を使用して開口部６１を凹凸係合させて密着させる。
【００３６】
続いて、空気吸引口６３のキャップ６４を開けて、圧縮袋６の空気吸引口６３に電気掃除機の吸引ホースａの先端を接続した後、電気掃除機を作動させて圧縮袋６内の空気を吸い出すと、圧縮袋６内の立体型の形状保持体３１及び形状保持体４１は圧縮袋６の圧縮に連動して平坦面状に圧縮される。
【００３７】
その後、空気吸引口６３にキャップ６４を装着して閉めることにより、嵩張る立体型の形状保持体３１及び形状保持体４１を平坦面状に圧縮させて収納することができ、これにより、室内鯉のぼりセットの収納スペースをコンパクト化でき、その収納保管は容易となる。
【００３８】
なお、この考案は上記考案を実施するための最良の形態に限定されるものではなく、この考案の精神を逸脱しない範囲で種々の改変をなし得ることは勿論である。
【図面の簡単な説明】
【００３９】
【図１】この考案を実施するための最良の形態を示す室内鯉のぼりを飾った側面図である。
【図２】この考案を実施するための最良の形態を示す台座及び取り付け支柱の組み立て用の部分拡大図付きの側面図である。
【図３】この考案を実施するための最良の形態を示す吹き流し及び鯉のぼりの組み立て用の部分拡大図付きの側面図である。
【図４】この考案を実施するための最良の形態を示す形状保持体の圧縮密封前の圧縮袋の平面図である。
【図５】この考案を実施するための最良の形態を示す形状保持体の圧縮密封時の圧縮袋の平面図である。
【図６】この考案を実施するための最良の形態を示す圧縮袋の圧縮密封時の部分拡大使用説明図である。
【符号の説明】
【００４０】
１    台座
２    取り付け支柱
２ａ  フック
２１    上部支柱
２１ａ  螺子穴
２２    下部支柱
２３    隅角部補強板
３    吹き流し
３ａ  吊りヒモ
３ｂ  フック
３１    形状保持体
３２    上部横棒
３３    下部横棒
４    鯉のぼり
４ａ  吊りヒモ
４ｂ  上部フック孔
４ｃ  下部フック孔
４ｄ  Ｓ字フック
４１    形状保持体
５    金球
５１    矢車
５２    取付棒
６    圧縮袋
６１    開口部
６２    スライダー
６３    空気吸引口
６４    キャップ
ａ    吸引ホース
【図１】
0003125145.tif 000003
【図２】
0003125145.tif 000004
【図３】
0003125145.tif 000005
【図４】
0003125145.tif 000006
【図５】
0003125145.tif 000007
【図６】
0003125145.tif 000008